(57)【要約】  長形連続材料ウェブであって、ウェブの長手方向に配置された複数の隣接タブを含み、隣接するタブ間には接続領域が設けられた、ウェブが開示される。各接続領域は、ウェブの長手方向に伸長可能な少なくとも１つの接続部材が形成されるように、ウェブの横方向に延在する３つ以上の切り込み部を含む。少なくとも１つの切り込み部がウェブの一方の長手方向縁部を通って進む側部切り込み部を形成し、少なくとも１つの切り込み部がウェブの他方の長手方向縁部を通って進む側部切り込み部を更に形成する。かかるウェブの作製方法、かかるウェブからタブを製造する方法、かかるウェブにより吸収性衛生用製品を製造する方法、及びかかるウェブを生産するための切断装置についても開示される。
2014505572.tif 000002
【特許請求の範囲】
【請求項１】
長形連続材料ウェブであって、前記ウェブの長手方向に配置された複数の隣接タブと、隣接するタブ間に配置された接続領域と、を備え、各接続領域は、前記のウェブの横方向に延在し、前記ウェブの長手方向に伸長可能な少なくとも１つの接続部材が形成されるように配置される少なくとも３つの切り込み部を備え、少なくとも１つの切り込み部は前記ウェブの一方の長手方向縁部を通って進む側部切り込み部を形成し、少なくとも１つの切り込み部は前記ウェブの他方の長手方向縁部を通って進む更なる側部切り込み部を形成する、ウェブ。
【請求項２】
前記接続領域のうちの少なくとも１つの領域は、少なくとも３つの隣接切り込み部を備える１つの単体の伸長可能な接続部材を備え、前記少なくとも３つの隣接切り込み部はそれぞれ交互に、前記ウェブの一方の長手方向縁部を通して対向する長手方向縁部近くまで延在する、請求項１に記載のウェブ。
【請求項３】
前記接続領域のうちの少なくとも１つの領域は、前記ウェブの横方向に横に並んで配置され、前記ウェブの長さ方向に延在する分離切り込み部により互いに分離される２つの伸長可能な接続部材を備え、前記２つの伸長可能な接続部材のそれぞれは、前記分離切り込み部から前記ウェブの一方の長手方向縁部近くまでと、前記長手方向縁部を通して前記分離切り込み部近くまでと、に交互に延在する、少なくとも３つの切り込み部を備える、請求項１に記載のウェブ。
【請求項４】
前記接続領域のうちの少なくとも１つの領域は、前記ウェブの横方向に横に並んで配置される、１つの内側の伸長可能な接続部材及び２つの外側の伸長可能な接続部材である、３つの伸長可能な接続部材を備え、前記内側の伸長可能な接続部材は、前記ウェブの長さ方向に延在する分離切り込み部により前記２つの外側の伸長可能な接続部材から分離され、前記内側の伸長可能な接続部材は、前記分離切り込み部の一方から他方近くまで交互に延在する、少なくとも３つの隣接切り込み部を備え、前記外側の伸長可能な接続部材は、前記分離切り込み部から前記ウェブの一方の長手方向縁部近くまでと、前記縁部を通して前記分離切り込み部近くまでと、に交互に延在する少なくとも３つの隣接切り込み部を備える、請求項１に記載のウェブ。
【請求項５】
奇数の切り込み部が伸長可能な各接続部材に設けられ、前記側部切り込み部は他の切り込み部の間に位置づけられ、かつ／又は１つの接続領域における前記伸長可能な接続部材のそれぞれは、同数の隣接切り込み部により形成される、請求項３又は４に記載のウェブ。
【請求項６】
前記伸長可能な接続部材は、互いに対して角度をつけて配置される、請求項３〜５のいずれか一項に記載のウェブ。
【請求項７】
前記切り込み部のうちの少なくとも１つに、その端部領域に打ち抜かれる孔を設けた、請求項１〜６のいずれか一項に記載のウェブ。
【請求項８】
各伸長可能な接続部材の少なくとも３つの切り込み部は、前記ウェブの長手方向に対してほぼ垂直に互いに平行であり、かつ／又は各伸長可能な接続部材における前記少なくとも３つの切り込み部は、互いに等しく離間する、請求項１〜７のいずれか一項に記載のウェブ。
【請求項９】
前記ウェブの少なくとも１つの主面は、少なくとも部分的に、フック、ループ、接着剤及びそれらの混合物からなる群から選択される付着性材料が塗布される、請求項１〜８のいずれか一項に記載のウェブ。
【請求項１０】
前記ウェブは、その長辺の一方又は両方に脆弱線が設けられ、前記脆弱線が破れた場合に、前記伸長可能な接続部材が対応する隣接タブから分離するよう、前記脆弱線は前記伸長可能な接続部材を通って前記長手方向に延在し、前記脆弱線は、特に、前記ウェブの長辺の縁部近くまで進むそれらの切り込み部と交差する、請求項１〜９のいずれか一項に記載のウェブ。
【請求項１１】
前記連続材料ウェブがロール上に巻回されてなる、請求項１〜１０のいずれか一項に記載のウェブ。
【請求項１２】
長形連続材料ウェブであって、前記ウェブの長手方向に配置された複数の隣接タブを備え、２つの隣接するタブ間に、少なくとも１つの孔が設けられ、前記孔は、請求項１〜１１のいずれか一項に記載の連続材料ウェブを長手方向に延ばすことにより形成される、ウェブ。
【請求項１３】
長形連続材料ウェブであって、前記ウェブの長手方向に配置された複数の隣接タブを備えるウェブを生産する方法であって、前記ウェブの横方向に延在する切り込み部を含む接続領域が隣接タブ間に配置され、少なくとも１つの伸長可能な接続部材が前記ウェブの長手方向に伸長可能に形成されるように、前記ウェブの横方向に延在する少なくとも３つの切り込み部を配置することにより各接続領域を形成し、少なくとも１つの切り込み部が前記ウェブの一方の長手方向縁部を通って進む側部切り込み部を形成し、少なくとも１つの切り込み部が前記ウェブの他方の長手方向縁部を通って進む更なる側部切り込み部を形成する、方法。
【請求項１４】
吸収性の衛生又は生理用製品を製造する方法であって、
長形の吸収性衛生材料ウェブ又は吸収性衛生材料ウェブの処理済み部分を供給することと、
請求項１〜１０のいずれか一項に記載の連続材料ウェブを供給することと、
前記連続材料ウェブを、そのタブが前記長形の吸収性衛生材料ウェブの所望の位置に配置されるように前記長形の吸収性衛生材料ウェブに接触させることと、
前記タブを前記当領域に付着させ、同時に又はその後で、
必要に応じ、前記タブ間の少なくとも前記接続部材を取り除くことと、を含む、方法。
【請求項１５】
連続材料ウェブであって、前記ウェブの長手方向に配置された複数の隣接タブを備える前記ウェブを製造するための切断装置であって、隣接タブ間に前記ウェブの横方向に延在する切り込み部を備える接続領域が設けられており、前記切断装置は、前記ウェブの横方向に延在し、前記ウェブの長手方向に伸長可能な少なくとも１つの接続部材が形成されるように配置される各接続領域を３つ以上の切り込み部により形成するように配置される切断部材の群を備え、前記切断部材は、前記ウェブの１つの長手方向縁部を通って進む側部切り込み部を形成する少なくとも１つの切り込み部、及び前記ウェブの他の長手方向縁部を通って進む更なる側部切り込み部を形成する少なくとも１つの切り込み部を提供するように配置される、切断装置。
【発明の詳細な説明】
【背景技術】
【０００１】
おむつ又は婦人用衛生用品にファスニングタブを備えるのは一般的な技術である。人間の体に着け心地よく確実にフィットさせるために、このようなファスニングタブにより、おむつ又は衛生用品の異なる領域を調整可能に接合することができる。この目的のため、通常ファスニングタブには、例えば、面ファスナー形式の付着層又は感圧接着層等が設けられている。
【０００２】
このような衛生用製品の製造において、通常、タブ材料は、後で単一のタブに切断される連続材料ウェブとして提供される。次のステップでは、これらのタブはそれぞれ空間的に分離され、衛生用製品の原材料の所望の領域に接着される。
【０００３】
このような衛生用品の生産速度を可能な限り高めることが常に求められている。しかしながら、タブの処理が、このような状況における制限因子となっている。運搬シリンダの回転速度が異常に速くなるとすぐに、回転による気流により、軽量のファスニングタブが機械の中を舞うことがある、という従来からの問題がある。これにより、ファスニングタブが消失したり、衛生用製品の誤った場所にファスニングタブが置かれたりするだけでなく、機械の誤動作を引き起こすこともあり、言い換えれば、生産ロスにつながる恐れがある。
【０００４】
これらの問題を解決するため、米国特許第４，０６１，５２７号（Ｔｒａｉｓｅ）から、ファスニングタブをそれぞれ切断した直後に、おむつの原材料上に配置するためにファスニングタブをバキュームシリンダに移送することがわかっている。しかしながら、バキュームシリンダは大変高額である。更に、バキュームシリンダはファスニングタブの全ての形態又は構造、特にフックタブのような粗構造表面を持つにタブに対し、適切に対応していない。また、両側を圧感接着剤に覆われたタブは、バキュームシリンダに貼りついて剥がれにくいため、このようなタブを移送する際に大変困難を伴う可能性がある。
【発明の概要】
【発明が解決しようとする課題】
【０００５】
本開示において、上記の問題を生じさせることなく、高生産速度で、連続材料ウェブからファスニングタブを提供することを記載する。上記のようなタブのみが処理対象として限定されるべきではない。
【課題を解決するための手段】
【０００６】
本開示は、長形連続材料ウェブであって、ウェブの長手方向に配置された複数の隣接タブを含む長形連続材料ウェブに関し、接続領域が隣接タブ間に設けられ、この接続領域はウェブの横方向に延在する切り込み部を含む。本開示は、更に、このようなウェブからタブ、特にファスニングテープタブ又はフックタブ等、特に機械的閉鎖部品としておむつ又は婦人用衛生用品に使用されうるタブを製造する方法に関する。更に、本開示は、長形連続材料ウェブの製造における切断装置に関する。
【０００７】
本開示の上記の「課題を解決するための手段」は本開示の開示される各実施形態又は全ての実施を説明しようとするものではない。以下の説明により、例示的実施形態を、より具体的に例示する。したがって、図面及び以下の説明は、単に例示目的であって、本開示の範囲を不当に制限するように解釈されるべきではないことを理解するべきである。
【図面の簡単な説明】
【０００８】
以下の本開示の異なる実施形態の詳細な説明を添付図面と併せて考慮することで、本開示のより完全な理解が可能である。
【図１】第１実施形態における、２つの隣接タブ間に１つの伸長可能な接続部材を備えた長形連続材料ウェブ。
【図２】第２実施例における、２つの隣接タブ間に２つの伸長可能な接続部材を備えたウェブ。
【図３】第３実施例における、２つの隣接タブ間に３つの伸長可能な接続部材を備えたものを示す。
【図４】第４実施例における、２つの隣接タブ間に２つの伸長可能な接続部材を角度をつけて設けた場合のウェブ。
【図５】隣接切り込み部の端部領域に孔を設けたウェブを示す。
【図６ａ】図２に示したウェブに対し、長手方向に引張力をかけた場合をフローチャートとして示す。
【図６ｂ】図２に示したウェブに対し、長手方向に引張力をかけた場合をフローチャートとして示す。
【図６ｃ】図２に示したウェブに対し、長手方向に引張力をかけた場合をフローチャートとして示す。
【図７ａ】図３にかかるウェブに対し長手方向に引張力をかけた後の様子を示し、接続部材の幅が異なる２つの場合を示す。
【図７ｂ】図３にかかるウェブに対し長手方向に引張力をかけた後の様子を示し、接続部材の幅が異なる２つの場合を示す。
【図８】長形連続材料ウェブを製造し、ウェブを基板に適用するためのシステム。
【発明を実施するための形態】
【０００９】
本開示によれば、上記の問題は、長形連続材料ウェブであって、ウェブの長手方向に配置された複数の隣接タブを備え、ウェブの横方向に延在する切り込み部を含む接続領域が隣接タブ間に配置され、各接続領域は、少なくとも１つの伸長可能な接続部材がウェブの長手方向に伸長可能に形成されるように、ウェブの横方向に延在する３つ以上の切り込み部を備え、少なくとも１つの切り込み部がウェブの一方の長手方向縁部を通って進む側部切り込み部を形成し、少なくとも１つの切り込み部がウェブの他方の長手方向縁部を通って進む側部切り込み部を更に形成する、ウェブ、により解決される。
【００１０】
このようなウェブの展開は、隣接する２つのタブ間に配置された接続領域により、隣接タブが互いに離間して配置されている、という認識に基づくものである。接続領域は伸長可能な接続部材を有するため、タブは鎖状に相互接続される。切り込み部を配置することにより、一般的に、各接続部材はメアンダ形状を有するようになる。
【００１１】
伸長可能な接続部材のメアンダ形状により、伸長特性が与えられる。このように、メアンダ形状が十分に伸張するまで、隣接タブはウェブの長手方向に互いに離間する。したがって、最短の伸長可能な接続部材のメアンダ構造の長さにより、隣接タブ間の最大離間距離が規定される。伸長可能な接続部材に備えられた、ウェブのほぼ幅方向全体に及ぶ切り込み部は、互いにわずかに角度をつけて配置される場合もあるが、通常互いに平行である。
【００１２】
このような長形連続材料ウェブを生産するため、少なくとも１つの伸長可能な接続部材がウェブの長手方向に伸長可能に形成されるよう、ウェブの横方向に延在する３つ以上の切り込み部を配置することにより各接続領域を形成する工程を含み、少なくとも１つの切り込み部がウェブの一方の長手方向縁部を通って進む側部切り込み部を形成し、少なくとも１つの切り込み部がウェブの他方の長手方向縁部を通って進む側部切り込み部を更に構成する、方法を適用することができる。
【００１３】
接続領域の少なくとも１つが、それぞれが交互にウェブの一方の長手方向縁部から対向する長手方向縁部近くに及ぶ、少なくとも３つの隣接切り込み部を含む１つの接続部材からなることにより、本開示によるウェブを特に実現することができる。
【００１４】
本開示の他の実施形態によれば、接続領域の少なくとも１つは、ウェブの長さ方向に延在する分離切り込み部により互いに分離される、ウェブの横方向に横に並んだ２つの接続部材からなり、各伸長可能な接続部材は、少なくともかつ特に、分離切り込み部からウェブの一方の長手方向縁部近くまでと、その長手方向縁部から分離切り込み部近くまでと、に交互に延在する、厳密に３つの切り込み部を含み、特に、奇数の切り込み部が接続部材に設けられる場合は、側部切り込み部は他の切り込み部に囲まれる。このような実施形態は、２つの隣接するタブが少なくとも２つの領域において接続されるため、伸長可能な接続部材が同じ長さになるように形成されるときに、伸長可能な接続部材が十分に伸張した場合、タブが並行に離間する、という効果を有する。この分離切り込み部は、ウェブの長手方向に対して平行であってもよいが、他の角度をつけてもよい。
【００１５】
隣接するタブの各組の間に備えられた伸長可能な接続部材が鏡像対照的又は点対照的に設けられた場合、タブをこのように平行に離間させることができる。
【００１６】
本実施形態において、接続領域の少なくとも１つが２つの接続部材からなることにより、この２つの接続部材は互いに１列に並んでもよい。しかしながら、例えば、接続部材を取り除いた後に傾斜したタブを提供するために、２つの接続部材を互いに角度をつけて配置することが好ましい場合もある。このような接続部材の配置は、特に、１つの接続領域に対して偶数の接続部材を設けるときに有用である。
【００１７】
接続領域が２つの隣接するタブ間に配置された１つ又は２つの伸長可能な接続部材からなってもよいという、上記の可能性に加え、３つ、４つ、又はそれ以上の伸長可能な接続部材が２つの隣接するタブ間に備えられてもよい。１つのウェブが、異なる数の接続部材を備えた接続領域を含んでもよい。
【００１８】
したがって、他の実施形態によれば、接続領域のうち少なくとも１つは、ウェブの横方向に横に並んで配置された３つの伸長可能な接続部材からなり、内側の伸長可能な接続部材は、ウェブの長さ方向に延在する分離切り込み部により外側の伸長可能な接続部材から分離され、内側の伸長可能な接続部材の切り込み部は分離切り込み部のうちの１つから他方の分離切り込み部近くまで交互に延在し、外側の伸長可能な接続部材は、分離切り込み部からウェブの一方の長手方向縁部近くまでと、その縁部から分離切り込み近くまでと、に交互に延在する少なくとも３つ以上の隣接切り込み部を含み、特に、奇数の切り込み部が接続部材に設けられる場合、側部切り込み部は他の切り込み部に囲まれる。
【００１９】
更に、各伸長可能な接続部材の切り込み部は互いに等間隔に離間されることが好ましい。これにより、等間隔に離間することにより接続部材が安定して均一に伸張するため、接続部材は一様な幅になる。
【００２０】
切り込み部はいかなる角度をもってウェブを横切ってもよいが、切り込み部はウェブの長手方向に対してほぼ垂直に延在することが好ましい場合もある。これにより、接続部材を取り除いた後、接続領域が一様に伸張可能になり、矩形タブが形成される。
【００２１】
ウェブの好ましい実施形態によれば、各伸長可能な接続部材は奇数の隣接切り込み部により形成される。奇数の切り込み部を設けることにより、伸長可能な接続部材が長手方向に伸長する際に隣接タブが軸方向にずれるのを防ぐことができる。
【００２２】
伸長可能な接続部材を伸長させる際に２つの隣接するタブを確実に並行に離間させるために、２つの隣接するタブ間の各伸長可能な接続部材を同数の隣接切り込み部により構成することができる。好ましくは、これらの切り込み部の間隔も同様に等しいものとする。
【００２３】
本開示によるウェブの他の好ましい実施形態によれば、切り込み部のうち少なくとも１つの、好ましくは、隣接する切り込み部及び／又は分離切り込み部の少なくとも１つの端部領域に孔が設けられる。分離切り込み部にも同様に、このような孔を設けることができる。孔は、楕円形又は円形であってもよく、例えば、ヒンジ様の機能性を持つことにより、メアンダ形状の伸長可能な接続部材の伸張を促進してもよい。加えて、メアンダ形状の伸長可能な接続部材に引張力が加えられる場合、この孔により、切り込み部が引き裂かれるのを防ぐことができる。
【００２４】
本開示のウェブにおける全てのタブ及び接続部材は、一般的に、ウェブの全長において同じ外観を持つが、１つのウェブにおいて、異なる形状のタブ及び／又は接続部材を設けることも可能であり、時にはこのようにすることが好ましい。例えば、おむつの固定手段として、２つの異なる形状のタブが必要とされる場合が、これに含まれる。この場合、２つの異なる形状のタブは、ウェブにおいて順に繰り返す単位で配置することができる。
【００２５】
本開示によるウェブは、多くの種類の材料、特にファスニングタブの材料として使用するのに適した材料から構成することができる。これらの材料は、好ましくは、ポリマー、金属、紙、ボール紙、又はこれらの組み合わせから選択する。特に好適なポリマーは、ポリエチレン若しくはポリプロピレンのようなポリオレフィン、又はポリアミド、ポリウレタン、ポリエステル、ポリエテール、又はポリ乳酸、ポリブチレンサクシネート、ポリヒドロキシアルカノエート、ポリトリメチレンテレフタレート、スターチ若しくはスターチ誘導体に基づくポリマーのような生分解性ポリマー、又はそれらの混合物から構成される群から選択される。これらの材料は、単なる一例であり、限定的に理解されるものではない。これらの材料はフィルム又は他の形態、例えば、弾性又は非弾性フィルムを備えた織布又は不織布ウェブの積層として使用することができる。
【００２６】
更に好ましくは、本開示によるウェブは、少なくとも１つの主面の少なくとも一部に付着性材料、特に、フック、ループ、接着剤、又はそれらの混合物から選択された接着性材料が塗布される。
【００２７】
更に好ましくは、両主面に付着性材料が塗布されている場合、それらのうち一方は接着剤、特に、感圧接着剤である。接着剤に覆われた面は、衛生用製品の原材料にタブを付着させるのに使用してもよい。
【００２８】
主に、あらゆる種類の接着剤が本開示の範囲において使用可能である一方、感圧接着剤が好ましく、特に、アクリレート系、スチロールコポリマー系、若しくはゴム系接着剤、又はそれらの混合物からなる群から選択されてもよい。
【００２９】
適用によっては、例えば別個のファスニング材料を提供するために、タブから接続部材を取り除くことが好ましい場合がある。特に衛生用製品の所望の表面領域にタブを付着させた後に隣接するタブから接続部材を簡単に取り除くために、ウェブの長辺の一方又は両方に、脆弱線、特に、脆弱線が破れた場合に伸長可能な接続部材が対応するタブから分離するよう、伸長可能な接続部材を通り、長手方向に延在するミシン目を備えてもよい。このような実施形態は、特に、ウェブの隣接タブが、ウェブの長辺に位置する１つ又は２つの伸長可能な接続部材により接続される場合に、好ましい。
【００３０】
このような脆弱線は、連続材料ウェブを生産する間のいつでも、例えば、接続部材の切り込み部が作られるのと同時に、設けることができる。しかしながら、ウェブのタブが衛生用製品の所望の表面領域に付着される間又は付着された後に、脆弱線も同様に設けることも可能である。これにより、伸長可能な接続部材をタブから容易に取り除くことができ、タブの長辺の縁部を滑らかにすることができる。
【００３１】
本開示によるウェブは、おむつ又は婦人用衛生用品を生産するための衛生材料にタブを付着させるのに直接使用してもよい。しかしながら、このような連続材料ウェブを、後に使用若しくは移送するため、あるいは後に衛生用品を生産するために中間製品として販売するため、ロールに巻くことも可能である。
【００３２】
本開示の他の態様は、長形連続材料ウェブであって、ウェブの長手方向に配置された複数の隣接タブを含み、２つのタブ間に少なくとも１つの孔を設け、孔は連続材料ウェブを上記のようにその長手方向に延在させることにより形成される、ウェブである。したがって、本開示は、材料ウェブに直接孔を打つことにより材料の損失を生じさせることなく、孔を設けたウェブを提供するための、簡潔な方法を提供する。孔の幅は、接続部材の幅を変更することによって、変えることができる。例として、メアンダ状にカットされた切り込み部が更に離間する場合、より小さい孔を設けることができる。切り込み部の間隔の幅、例えば、接続部材の幅は、約０．５ｍｍから約２０ｍｍであり、好ましくは、約１ｍｍから約１０ｍｍである。
【００３３】
孔の長さは、接続部材の幅による影響をほとんど受けない。孔の長さを変更するために、１つの接続領域に対する接続部材の数を増やしてもよい。
【００３４】
この状況では、１つの接続領域の切り込み部を上述のように角度をつけて備えることにより、孔の形態を変更することができる。これにより、例えば、矢印形の孔を形成することができる。
【００３５】
本開示の他の態様は、長形連続材料ウェブであり、ウェブの長手方向に配置された複数の隣接タブを含み、ウェブの横方向に延在する切り込み部を含む接続領域が隣接タブ間に配置されたウェブを生産する方法であって、少なくとも１つの伸長可能な接続部材がウェブの長手方向に伸長可能に形成されるように、ウェブの横方向に延在する３つ以上の切り込み部を配置することにより各接続領域を形成することを含み、接続領域は、ウェブの長辺の対向する縁部にそれぞれ側部切り込み部を更に設け、側部切り込み部はその縁部を通って進む、方法を目的とする。
【００３６】
接続領域又は接続部材の除去は、異なった方法で実行することができる。上述したように、脆弱線を備えることにより、これらの線に沿って縁部領域を取り除いてもよい。他の方法として、タブを付着させた後、あるいは付着させる間に、これらの縁部領域を切り離しいてもよい。
【００３７】
本開示の他の態様は、吸収性の衛生又は生理用製品、特に、おむつ又は生理用ナプキンを製造する方法であって、この方法は、長形の吸収性衛生材料ウェブ又はその処理済み部分を供給する工程と、上述の連続材料ウェブを供給する工程と、長形の吸収性衛生材料ウェブの所望の位置にタブを配置するように、連続材料ウェブを長形の吸収性衛生材料ウェブに接触させる工程と、タブを該当領域に付着させる工程と、同時に又はそれ以降、必要に応じて少なくともタブ間の接続部材を取り除く工程と、を含む方法である。
【００３８】
この生産方法は、特に、衛生用製品の原材料の表面に接着される、互いに鎖状に付着された単体のタブをあらかじめ作製することができるため、効果的である。言い換えれば、この生産方法によれば、タブが生産機械の中を飛び回らないように長形連続材料ウェブの表面に付着される間、あるいは付着された後に、タブはウェブから分離される。
【００３９】
吸収性の衛生又は生理用製品を製造するこの方法において、更に好ましくは、連続材料ウェブを長形の吸収性衛生材料ウェブに接触させる工程より前又は同時に、連続材料ウェブの供給速度が増加することにより、伸長可能な接続部材が伸張、好ましくは十分に伸張する。このように伸張することにより、特に、接続部材が十分に伸張した場合、タブ間の間隔が定められるため、タブ領域間が分離し、より容易に位置決めができる。連続材料ウェブを少なくとも２つの回転シリンダ上に移送することにより、この実施形態を実現することができ、下流に位置するシリンダは上流のシリンダより回転速度が速くなる。このような２つのシリンダ間の速度勾配は、伸長可能な接続部材ができる限り伸張できるように調節してもよい。
【００４０】
本開示の他の態様は、切断装置、特に、連続材料ウェブであり、ウェブの長手方向に配置された複数の隣接タブを備えるウェブを製造するためのカッティングシリンダとしての切断装置であって、隣接タブ間にウェブの横方向に延在する切り込み部を備える接続領域が設けられ、この切断装置は、ウェブの横方向に延在し、ウェブの長手方向に伸長な可能な少なくとも１つの接続部材が形成されるように配置される各接続領域を３つ以上の切り込み部により形成するように配置される切断部材（例えば、ブレード及び／又はパンチユニット）の群を備え、切断部材（例えば、ブレード及び／又はパンチユニット）は、ウェブの一方の長手方向縁部を通って進む側部切り込み部を形成する少なくとも１つの切り込み部、及びウェブの他方の長手方向縁部を通って進む更なる側部切り込み部を形成する少なくとも１つの切り込み部を提供するように配置される、切断装置である。
【００４１】
しかしながら、本開示は、衛生又は生理用製品に接続される使用分野に限定されることはなく、一般的に他の処理で使用されることもでき、例えば、ラベル等の別個の部品を連続ウェブに適用してもよい。
【００４２】
ここで、本開示の実施形態がより詳細に参照され、その１つ以上の実施例は、図面で図示される。一実施形態の一部として図示又は記載される特徴は、他の実施形態と共に使用され、第３の実施形態を得ることもできる。本開示はこれらの及び他の修正及び変形を含むことが意図される。
【００４３】
図１において、長形連続材料ウェブ１のある部分が例として示され、ウェブ１の長手方向に複数の隣接タブ２、３及び４が配置されている。ウェブ１は、二軸配向ポリプロピレン（ＰＰ）により構成され、第１主面にフックを備え、対向主面に感圧接着層を備える。
【００４４】
タブ２、３及び４はそれぞれ、メアンダ形状の伸長可能な接続部材５からなる接続領域Ａにより、対応する隣接タブ２、３及び４に接続される。伸長可能な接続部材５はウェブ１の長手方向に対して横方向に設けられた３つの隣接切り込み部６、７及び８により構成される。切り込み部６、７及び８はそれぞれ交互に、ウェブ１の一方の長手方向縁部から対向する長手方向縁部近くまで延在する。このように、外側の切り込み部（６、７）はウェブ１の長辺の一方の縁部を通って進むのに対し、中央の切り込み部８はウェブ１の長辺のそれに対向する縁部を通って進む。したがって、切り込み部６、７及び８は、側面切り込み部である。
【００４５】
図２は、実施形態の変形例における長形連続材料ウェブ１を示しており、接続領域Ａである、２つのメアンダ形状を有する伸長可能な接続部材５及び９により、隣接タブ２、３及び４は、それぞれ対応する隣接タブから分離されている。伸長可能な接続部材５及び９はそれぞれ、３つの隣接切り込み部６、７、８、１０、１１及び１２により構成され、この場合、ウェブ１の長手方向に対して平行に、伸長可能な接続部材は分離切り込み部１３により互いに分離されている。最も外側に位置する伸長可能接続部材５及び９は、側部切り込み部８及び１１を備える。
【００４６】
図３は、本開示による長形連続材料ウェブ１の他の実施形態を示すものであり、タブ２、３及び４は、メアンダ形状を有する３つの伸長可能な接続部材５、９及び１４からなる接続領域Ａにより、それぞれ対応する隣接タブに接続される。伸長可能な部材５、９及び１４は、３つの隣接切り込み部６、７、８、１０、１１、１２、１５、１６及び１７から成る。それにより、最も外側に位置する伸長可能な接続部材５及び９は側部切り込み部８及び１１を含む。伸長可能な接続部材５、９及び１４は、ウェブの長手方向に対して平行に、分離切り込み部１３及び１８により互いに分離される。
【００４７】
図４において、図２に示された実施形態の変形例が示されており、隣接タブ２、３及び４の間に置かれた２つの伸長可能な接続部材５及び９は一直線に並ばず、角度をつけて配置されている点が異なっている。このため、角度をつけたタブ２、３及び４となっている。
【００４８】
図５において、長形連続材料ウェブ１の更なる変形例が示される。ウェブ１の構造は、側部切り込み部１３のみならず切り込み部６、７、８、１０、１１及び１２の一方の端部領域にも孔１９が設けられている点を除き、図２に示される構造と同様である。この孔１９は、ウェブ１の長手方向の伸長力が長形の接続部材５及び９にかかる場合、ヒンジとして機能する。また、孔１９が設けられた領域においては、孔１９により、伸長可能な接続部材が引き裂かれるのを防ぐことができる。
【００４９】
図６ａから図６ｃは、図２にかかる長形連続材料ウェブ１からタブ２及び３が分離する際のフローチャートを示す。図６ａによれば、隣接タブ２及び３は、側部切り込み部８及び１１を含むメアンダ形状の伸長可能な接続部材５及び９により、互いに接続する。
【００５０】
図６ｂは、黒色矢印によって表される、ウェブ１の長手方向に対して平行である引張力Ｆがウェブ１にかかる際の反応を示す。タブ２及び３上の矢印で示されるように、タブ２及び３は互いに離間する。同時に、伸長可能な接続部材５及び９は、曲げ矢印で示されるように外方向に揺れ動く。しかしながら、この提示は、伸長可能な接続部材５及び９が、ウェブ１によって定義される平面領域から十分に外れるように曲げられることが理想的である。
【００５１】
図６ｃにおいて、伸長可能な接続部材５及び９は、十分に伸張して隣接タブ２及び３に既定の空隙部を与える。この伸張により、隣接タブ間に孔２２も形成される。
【００５２】
この段階において、ミシン目としての脆弱線２０及び２１が、伸長可能な接続部材５及び９と一列に並ぶように与えられる。しかしながら、接続部材の切り込み部６、７、８、１０、１１及び１２が与えられるのと同時にミシン目２０及び２１を作ることも可能である。ミシン目２０及び２１で切り離すと、タブ２及び３から細長い縁部領域だけでなく伸長可能な接続部材５及び９も取り除かれることにより、タブ２及び３が生じる。
【００５３】
図７ａ及び図７ｂは、図３にかかるウェブの長手方向に引張力を加えた後の様子を示しており、接続部材５、９及び１４の幅が異なる２つの場合を示す。これらの２つの図から、接続部材５、９及び１４が異なる幅を持つことにより、隣接タブ２及び３の間に、異なる幅の孔２２が生じることがわかる。
【００５４】
図８は、長形連続材料ウェブ１を製造するためのシステムを示す。このシステムは、ロール２３を含み、それにより衛生用品ウェブ２４が輸送速度ｖ１で供給される。衛生用品ウェブ２４と平行して、原材料ウェブ２５が、長さが異なる２つの直線矢印により示されるように、ｖ１よりも遅い輸送速度ｖ２で、ロール２６から供給される。
【００５５】
原材料ウェブ２５は、カッティングシリンダ２７へ移送される。カッティングシリンダ２７は、ウェブ１に切り込み部６、７、８、１０、１１、１２、１５、１６及び１７を入れ、ウェブ１の縁に沿ってミシン目２０及び２１を作り、ウェブ１の長手方向に複数の隣接タブ２、３及び４を形成する。切断中は、ウェブ１は圧力ロール２８により、カッティングシリンダ２７に押し付けられる。
【００５６】
ウェブ１は、塗りロール２９に移送され、ウェブ１のタブ２、３及び４は衛生用品ウェブ２４に付着する。カッティングシリンダ２７と塗りロール２９との間は、ウェブ１の移送速度はカッティングシリンダ２７の上流の移送速度よりも早いため、伸長可能な接続部材５、９及び１４が伸長してタブ２、３及び４が離間する。カッティングシリンダ２７における速度増加は、伸長可能な接続部材５、９及び１４が決裂することなく十分に伸長するように調節される。一般的に、カッティングシリンダ２７の下流における移送速度は、衛生用品ウェブ２４における移送速度の範囲の速度又は等しい速度、例えば、ｖ１である。しかしながら、塗りロール２９において移送速度を高めることも可能である。
【００５７】
タブ２、３及び４が衛生用品ウェブ１５に接着した後、ミシン目２０及び２１で切り取られ、細長い縁部領域だけでなく伸長可能な接続部材５及び９もタブ２、３及び４から取り除かれることにより、衛生用品ウェブ２４上にタブ２、３及び４が生じる。衛生用品ウェブ２４は、おむつのような別途製品（図８には示さず）を産出するために後でカットしてもよく、例えば、各おむつには既定の数のタブ２、３及び４が備えられる。
【００５８】
本開示の選択された実施形態
第１実施形態において、本開示は、長形連続材料ウェブ（１）であって、ウェブの長手方向に配置された複数の隣接タブ（２、３、４）を備え、ウェブの横方向に延在する切り込み部（６、７、８、１０、１１、１２、１５、１６、１７）を備える接続領域（Ａ）は、隣接するタブ（２、３、４）間に配置され、各接続領域（Ａ）は、ウェブの長手方向に伸長可能な少なくとも１つの伸長可能な接続部材（５、９、１４）が形成されるように備えられた、ウェブの横方向に延在する３つ以上の切り込み部（６、７、８、１０、１１、１２、１５、１６、１７）を備え、少なくとも１つの切り込み部がウェブの一方の長手方向縁部を通って進む側部切り込み部（８）を形成し、少なくとも１つの切り込み部はウェブの他方の長手方向縁部を通って進む側部切り込み部（１１）を更に形成する、ウェブを提供する。
【００５９】
第２実施形態において、本開示は、第１実施形態にかかるウェブであって、接続領域（Ａ）のうち少なくとも１つが、それぞれが交互にウェブの一方の長手方向縁部から対向する長手方向縁部近くまで延在する少なくとも３つの隣接切り込み部（６、７、８）を備える単体の接続部材（５）からなる、ウェブを提供する。
【００６０】
第３実施形態において、本開示は、第１又は第２実施形態にかかるウェブであって、接続領域（Ａ）のうち少なくとも１つは、ウェブの長さ方向に延在する分離切り込み部（１３）により互いに分離される、ウェブの横方向に横に並んだ２つの接続部材（５、９）からなり、各伸長可能な接続部材（５、９）はそれぞれ、分離切り込み部（１３）からウェブの一方の長手方向縁部近くまでと、その長手方向縁部から分離切り込み部（１３）近くまでと、に交互に延在する少なくとも３つの切り込み部（６、７、８、１０、１１、１２）を備え、特に、奇数の切り込み部（６、７、８、１０、１１、１２、１５、１６、１７）が接続部材（５、９）に設けられる場合、側部切り込み部（８、１１）は他の切り込み部（６、７、１０、１２）に囲まれる、ウェブを提供する。
【００６１】
第４実施形態において、本開示は、第３実施形態にかかるウェブであって、２つの接続部材（５、９）は互いに角度をつけて配置された、ウェブを提供する。
【００６２】
第５実施形態において、本開示は、第１~第４実施形態のいずれか１つの実施形態にかかるウェブであって、接続領域（Ａ）のうち少なくとも１つは、ウェブの横方向に横に並んで配置された伸長可能な接続部材（５、９、１４）からなり、内側の伸長可能な接続部材（１４）は、ウェブの長さ方向に延在する分離切り込み部（１３、１８）により外側の伸長可能な接続部材（５、９）から分離され、内側の伸長可能な接続部材（１４）の切り込み部（１５、１６、１７）は分離切り込み部（１３、１８）のうち一方から他方近くまで交互に延在し、外側の伸長可能な接続部材（５、９）は、分離切り込み部（１３、１８）からウェブの一方の長手方向縁部近くまでと、その縁部から分離切り込み部（１３、１８）近くまでと、に交互に延在する少なくとも３つの隣接切り込み部（６、７、８、１０、１１、１２）を備え、特に、接続部材（５、９）に奇数の切り込み部（６、７、８、１０、１１、１２、１５、１６、１７）が設けられる場合、側部切り込み部（８、１１）は他の切り込み部（６、７、１０、１２）に囲まれる、ウェブを提供する。
【００６３】
第６実施形態において、本開示は、第１~第５実施形態のいずれか１つの実施形態にかかるウェブであって、各接続部材（５、９、１４）の切り込み部（６、７、８、１０、１１、１２、１５、１６、１７）は互いに平行に延在する、ウェブを提供する。
【００６４】
第７実施形態において、本開示は、第１〜第６実施形態のいずれか１つの実施形態にかかるウェブであって、各伸長可能な接続部材（５、９、１４）の切り込み部（６、７、８、１０、１１、１２、１５、１６、１７）は互いに等しく離間する、ウェブを提供する。
【００６５】
第８実施形態において、本開示は、第１~第７実施形態のいずれか１つの実施形態にかかるウェブであって、切り込み部（６、７、８、１０、１１、１２、１５、１６、１７）は、ウェブの長手方向にほぼ垂直に延在する、ウェブを提供する。
【００６６】
第９実施形態において、本開示は、第３〜第８実施形態のいずれか１つの実施形態にかかるウェブであって、１つの接続領域（Ａ）の伸長可能な接続部材（５、９、１４）は同数の隣接切り込み部（６、７、８、１０、１１、１２、１５、１６、１７）により形成される、ウェブを提供する。
【００６７】
第１０実施形態において、本開示は、第１〜第９実施形態のいずれか１つの実施形態にかかるウェブであって、切り込み部の少なくとも１つの、好ましくは、隣接切り込み部（６、７、８、１０、１１、１２、１５、１６、１７）及び／又は分離切り込み部（１３、１８）の少なくとも１つの端部領域に打ち抜かれる孔（１９）が設けられた、ウェブを提供する。
【００６８】
第１１実施形態において、本開示は、第１〜第１０実施形態のいずれか１つの実施形態にかかるウェブであって、ウェブの少なくとも１つの主面に、少なくとも部分的に、特にフック、ループ、接着剤、又はそれらの混合物から選択される付着性材料が塗布された、ウェブを提供する。
【００６９】
第１２実施形態において、本開示は、第１〜第１１実施形態のいずれか１つの実施形態にかかるウェブであって、ウェブの長辺の一方又は両方に、脆弱線（２０、２１）、特に、脆弱線（２０、２１）が破れた場合に伸長可能な接続部材（５、９）が対応するタブ（２、３、４）から分離するよう、伸長可能な接続部材（５、９）を通り、長手方向に延在するミシン目を備え、脆弱線（２０、２１）は、特に、ウェブの長辺の縁部近くまで進むそれの切り込み部（６、７、１０、１１、１２）と交差する、ウェブを提供する。
【００７０】
第１３実施形態において、本開示は、第１〜第１２実施形態のいずれか１つの実施形態にかかるウェブであって、切り込み部（６、７、８、１０、１１、１２、１５、１６、１７）を有する連続材料ウェブはロール上に巻回されてなる、ウェブを提供する。
【００７１】
第１４実施形態において、本開示は、長形連続材料ウェブ（１）であって、ウェブの長手方向に配置された複数の隣接タブ（２、３、４）を含み、２つのタブ（２、３、４）間に少なくとも１つの孔が設けられ、孔は、第１〜第１３実施形態のいずれか１つの実施形態にかかる連続材料ウェブ（１）を長手方向に延ばすことによって形成される、ウェブを提供する。
【００７２】
第１５実施形態において、本開示は、長形連続材料ウェブであり、ウェブの長手方向に配置された複数の隣接タブ（２、３、４）を含み、ウェブの横方向に延在する切り込み部（６、７、８、１０、１１、１２、１５、１６、１７）を含む接続領域（Ａ）が、隣接するタブ（２、３、４）間に配置されたウェブ、を生産する方法であって、少なくとも１つの伸長可能な接続部材（５、９、１４）がウェブの長手方向に伸長可能に形成されるように、ウェブの横方向に延在する３つ以上の切り込み部（６、７、８、１０、１１、１２、１５、１６、１７）を配置することにより各接続領域（Ａ）を形成するステップを含み、少なくとも１つの切り込み部がウェブの一方の長手方向縁部を通って進む側部切り込み部（８）を形成し、少なくとも１つの切り込み部がウェブの他方の長手方向縁部を通って進む更なる側部切り込み部（１１）を更に形成する、方法を提供する。
【００７３】
第１６実施形態において、本開示は、タブ（２、３、４）、特に、ファスニングテープタブ又はフックタブ等を製造する方法であって、第１５実施形態にかかる長形連続材料ウェブを生産する工程と、伸長可能な接続部材（５、９）が対応するタブ（２、３、４）から分離するようにウェブの一方又は両方の長辺の端部領域を更に取り除く工程と、を含む、方法を提供する。
【００７４】
第１７実施形態において、本開示は、吸収性の衛生又は生理用製品、特におむつ又は生理用ナプキンを製造する方法であって、
長形の吸収性衛生材料ウェブ又はその処理済み部分を供給することと、
第１〜第１３実施形態のいずれか１つの実施形態にかかる連続材料ウェブを供給することと、
連続材料ウェブを、タブ（２、３、４）が長形の吸収性衛生材料ウェブの所望の位置に配置されるように長形の吸収性衛生材料ウェブに接触させることと、
タブ（２、３、４）を該当領域に付着させ、同時に又はそれ以降、
必要に応じて、タブ間の少なくとも接続部材（５、９、１４）を取り除くことと、を含む、方法を提供する。
【００７５】
第１８実施形態において、本開示は、第１７実施形態にかかる方法であって、連続材料ウェブを長形の吸収性衛生材料ウェブに接触させる工程より前又は同時に、連続材料ウェブの供給速度を増加させ、伸長可能な接続部材（５、９、１４）を伸張、好ましくは十分に伸張させる、方法を提供する。
【００７６】
第１９実施形態において、本開示は、特に、連続材料ウェブの長手方向に配置された複数の隣接タブ（２、３、４）を備えるウェブを製造するためのカッティングシリンダ（２７）として切断装置であって、隣接タブ（２、３、４）間にウェブの横方向に延在する切り込み部（６、７、８、１０、１１、１２、１５、１６、１７）を備える接続領域（Ａ）が設けられており、切断装置は、ウェブの横方向に延在し、ウェブの長手方向に伸長可能な少なくとも１つの接続部材（５、９、１４）が形成されるように配置される各接続領域（Ａ）を３つ以上の切り込み部（６、７、８、１０、１１、１２、１５、１６、１７）により形成するように配置されるブレード及び／又はパンチユニットの群を備え、ブレード及び／又はパンチユニットは、ウェブの一方の長手方向縁部を通って進む側部切り込み部（８）を形成する少なくとも１つの切り込み部と、ウェブの他方の長手方向縁部を通って進む側部切り込み部（１１）を更に形成する少なくとも１つの切り込み部と、を提供するために備えられた、切断装置を提供する。
【００７７】
この開示は、趣旨及び範囲から逸脱することなく様々な修正及び変更が可能である。したがって、本開示は、上記の実施形態に限定されないが、以下の請求項及び全てのその等価物に詳述する制限によって規制される。本開示は、本明細書に具体的に開示されていない要素を欠いても適宜実施され得る。
【図１】
2014505572.tif 000003
【図２】
2014505572.tif 000004
【図３】
2014505572.tif 000005
【図４】
2014505572.tif 000006
【図５】
2014505572.tif 000007
【図６ａ】
2014505572.tif 000008
【図６ｂ】
2014505572.tif 000009
【図６ｃ】
2014505572.tif 000010
【図７ａ】
2014505572.tif 000011
【図７ｂ】
2014505572.tif 000012
【図８】
2014505572.tif 000013
【国際調査報告】
2014505572.tif 000014
2014505572.tif 000015